(57)【特許請求の範囲】
【請求項１】
相互に係合する側溝と側溝蓋との係合面にそれぞれ係合用凹部を形成し、両係合用凹部を上下方向に対向状態に配置すると共に、両係合用凹部間に介設する係合兼緩衝・防音具であって、
合成樹脂により上下方向に伸延する棒状に形成すると共に、上下方向に対向状態に配置した係合用凹部内に係合状態に配置して側溝と側溝蓋とを係合する係合体と、
弾性素材により中央部に嵌合孔を有する円盤状に形成すると共に、上記係合体の外周面中途部に上記嵌合孔を介して嵌合して外方へ鍔状に張り出した状態にて側溝と側溝蓋の当接面間に配置される緩衝・防音体と
を具備することを特徴とする係合兼緩衝・防音具。
【請求項２】
相互に係合する側溝と側溝蓋との係合面にそれぞれ係合用凹部を形成し、両係合用凹部を上下方向に対向状態に配置すると共に、両係合用凹部間に介設する係合兼緩衝・防音具であって、
合成樹脂により上下方向に伸延する棒状に形成すると共に、上下方向に対向状態に配置した係合用凹部内に係合状態に配置して側溝と側溝蓋とを係合する係合体と、
弾性素材により円形シート状に形成して係合体の上半部ないしは下半部を被覆すると共に、係合用凹部内に係合状態に配置される緩衝・防音本片と、
弾性素材により上記緩衝・防音本片の周縁部に形成すると共に、外方へ鍔状に張り出した状態にて側溝と側溝蓋の当接面間に配置される鍔状片と
を具備することを特徴とする係合兼緩衝・防音具。
【請求項３】
相互に係合する側溝と側溝蓋との係合面にそれぞれ係合用凹部を形成し、両係合用凹部を上下方向に対向状態に配置すると共に、両係合用凹部間に介設する係合兼緩衝・防音具であって、
合成樹脂により上下方向に伸延する棒状に形成すると共に、上下方向に対向状態に配置した係合用凹部内に係合状態に配置して側溝と側溝蓋とを係合する係合体と、
弾性素材により形成すると共に、上記係合体の上・下端面に少なくともその一部が位置して、上下方向に対向状態に配置した係合用凹部の内面に押圧状態に当接する緩衝・防音体と
を具備することを特徴とする係合兼緩衝・防音具。
【発明の詳細な説明】
【０００１】
【発明の属する技術分野】
本発明は、係合兼緩衝・防音体に関する。
【０００２】
【従来の技術】
従来、側溝蓋の騒音防止構造として、側溝蓋の一側端面に係合用突片を突設する一方、他側端面に上記係合用突片が嵌入する係合用貫入孔を形成して、一方向に連続させて複数の側溝蓋を配置すると共に、隣接する一方の側溝蓋の係合用貫入孔中に、隣接する他方の側溝蓋の係合用突片を嵌入させて、隣接する側溝蓋同士を係合することにより、側溝蓋同士を相互に上下動不能となして、側溝蓋が個々に上下動して騒音を発するという不具合が生じないようにしたものがある（例えば、特許文献１参照）。
【０００３】
【特許文献１】
特開平９−２１７４１１号公報
【０００４】
【発明が解決しようとする課題】
ところが、上記した側溝蓋の騒音防止構造では、一方向に連続させて複数の側溝蓋を係合しており、かかる係合構造が一方の側溝蓋の係合用貫入孔中に、隣接する他方の側溝蓋の係合用突片を嵌入させて係合してなるものであるために、一つの側溝蓋をメンテナンス等の目的で取り外したい場合でも、その側溝蓋から最終端部まで連続して係合された複数の側溝蓋の全てを順次取り外さなければならないという煩雑さがある。
【０００５】
【課題を解決するための手段】
そこで、本発明では、相互に係合する側溝と側溝蓋との係合面にそれぞれ係合用凹部を形成し、両係合用凹部を上下方向に対向状態に配置すると共に、両係合用凹部間に介設する係合兼緩衝・防音具であって、合成樹脂により上下方向に伸延する棒状に形成すると共に、上下方向に対向状態に配置した係合用凹部内に係合状態に配置して側溝と側溝蓋とを係合する係合体と、弾性素材により中央部に嵌合孔を有する円盤状に形成すると共に、上記係合体の外周面中途部に上記嵌合孔を介して嵌合して外方へ鍔状に張り出した状態にて側溝と側溝蓋の当接面間に配置される緩衝・防音体とを具備することを特徴とする係合兼緩衝・防音具を提供するものである。
【０００６】
また、本発明は、以下の構成にも特徴を有する。
【０００７】
（１）相互に係合する側溝と側溝蓋との係合面にそれぞれ係合用凹部を形成し、両係合用凹部を上下方向に対向状態に配置すると共に、両係合用凹部間に介設する係合兼緩衝・防音具であって、合成樹脂により上下方向に伸延する棒状に形成すると共に、上下方向に対向状態に配置した係合用凹部内に係合状態に配置して側溝と側溝蓋とを係合する係合体と、弾性素材により円形シート状に形成して係合体の上半部ないしは下半部を被覆すると共に、係合用凹部内に係合状態に配置される緩衝・防音本片と、弾性素材により上記緩衝・防音本片の周縁部に形成すると共に、外方へ鍔状に張り出した状態にて側溝と側溝蓋の当接面間に配置される鍔状片とを具備すること。
【０００８】
（２）相互に係合する側溝と側溝蓋との係合面にそれぞれ係合用凹部を形成し、両係合用凹部を上下方向に対向状態に配置すると共に、両係合用凹部間に介設する係合兼緩衝・防音具であって、合成樹脂により上下方向に伸延する棒状に形成すると共に、上下方向に対向状態に配置した係合用凹部内に係合状態に配置して側溝と側溝蓋とを係合する係合体と、弾性素材により形成すると共に、上記係合体の上・下端面に少なくともその一部が位置して、上下方向に対向状態に配置した係合用凹部の内面に押圧状態に当接する緩衝・防音体とを具備すること。
【０００９】
【発明の実施の形態】
以下に、本発明の実施の形態について説明する。
【００１０】
すなわち、本発明に係る係合兼緩衝・防音具は、相互に係合する二つの係合対象物の係合面にそれぞれ係合用凹部を形成し、両係合用凹部を対向状態に配置すると共に、両係合用凹部間に介設するものである。
【００１１】
そして、かかる係合兼緩衝・防音具は、対向状態に配置した係合用凹部内に係合状態に配置して二つの係合対象物同士を係合する係合体と、同係合体の外周面中途部より少なくともその一部が外方へ鍔状に張り出した鍔状片を有して、同鍔状片が二つの係合対象物同士の当接面間に配置される緩衝・防音体とを具備している。
【００１２】
また、他の実施の形態としての本発明に係る係合兼緩衝・防音具は、対向状態に配置した係合用凹部内に係合状態に配置して二つの係合対象物同士を係合する係合体と、同係合体の端面に少なくともその一部が位置して、係合対象物の係合用凹部の内面に押圧状態に当接する緩衝・防音体とを具備している。
【００１３】
さらに、もう一つの他の実施の形態としての本発明に係る係合兼緩衝・防音具は、対向状態に配置した係合用凹部内に係合状態に配置して二つの係合対象物同士を係合する係合体と、同係合体の外周面中途部より少なくともその一部が外方へ鍔状に張り出した鍔状片を有して、同鍔状片が二つの係合対象物同士の当接面間に配置され、かつ、係合体の端面に少なくともその一部が位置して、係合対象物の係合用凹部の内面に押圧状態に当接する緩衝・防音体とを具備している。
【００１４】
【実施例】
以下に、本発明の実施例を、図面を参照しながら説明する。
【００１５】
図1〜図３に示すＡは、本発明に係る係合兼緩衝・防音具であり、同係合兼緩衝・防音具Ａは、相互に係合する二つの係合対象物としての側溝Ｂと側溝蓋Ｃとの係合面にそれぞれ係合用凹部1,2を形成し、両係合用凹部1,2を上下方向に対向状態に配置すると共に、両係合用凹部1,2間に介設するものである。
【００１６】
ここで、側溝Ｂは、左右一対の側壁3,3と、両側壁3,3の下端部間に連設した底部４とから正面視Ｕ字状に形成する共に、各側壁3,3の上端面に段付き凹状の側溝蓋嵌合凹部3a,3aを形成して、両側溝蓋嵌合凹部3a,3a間に複数（本実施例では四個）の側溝蓋Cを横架状に嵌合させるようにしており、各側溝蓋嵌合凹部3aの上面には、前後方向に間隔を開けて複数（本実施例では八個）の係合用凹部１を形成している。
【００１７】
また、側溝蓋Ｃは、蓋本体５を四角形板状に形成しており、同蓋本体５の下面の左右側部にそれぞれ前後方向に間隔を開けて複数（本実施例では片側に二個づつ）の係合用凹部２を形成している。
【００１８】
このようにして、側溝Ｂの側溝蓋嵌合凹部3a,3aに側溝蓋Ｃを横架状態に嵌合させて載置した際には、同側溝蓋嵌合凹部3a,3aに形成した複数の係合用凹部１と、側溝Ｂに形成した複数の係合用凹部２とがそれぞれ上下方向に符合するようにしている。
【００１９】
以下に、本発明に係る係合兼緩衝・防音具Ａの実施例（第１実施例〜第５実施例）を具体的に説明する。
【００２０】
〔第１実施例〕
第１実施例としての係合兼緩衝・防音具Ａは、図３〜図６に示すように、側溝Ｂと側溝蓋Ｃとを係合する係合体６と、同係合体６の外周面中途部より少なくともその一部が外方へ鍔状に張り出した鍔状片7aを有して、同鍔状片7aが側溝Ｂと側溝蓋Ｃとの当接面8,9間に配置される緩衝・防音体７とを具備している。
【００２１】
ここで、係合体６は、係合本片6aをプラスチック等の合成樹脂により上下方向に伸延する棒状に形成し、中央部外周面に嵌合溝10を周面に沿わせて無端状に形成すると共に、同中央部から上端と下端にそれぞれ向けて先細り状に形成している。
【００２２】
また、緩衝・防音体７は、弾性ゴム素材により中央部に嵌合孔11を有する円盤状に形成しており、本実施例では、緩衝・防音体７自体が鍔状片7aを形成している。
【００２３】
そして、係合兼緩衝・防音具Ａは、係合体６の嵌合溝10に嵌合孔11を介して緩衝・防音体７を着脱自在に嵌合させている。
【００２４】
このようにして、側溝Ｂの側溝蓋嵌合凹部3a,3aに側溝蓋Ｃを横架状態に嵌合させて載置する際には、側溝蓋嵌合凹部3a,3aに形成した係合用凹部１内に係合体６の下半部を係合させると共に、同側溝蓋嵌合凹部3aの当接面８に緩衝・防音体７の鍔状片7aを配置しておき、かかる状態にて、側溝蓋Ｃに形成した係合用凹部２を、側溝蓋嵌合凹部3a,3aに形成した係合用凹部１より突出している係合体６の上半部に係合させると共に、上記緩衝・防音体７の鍔状片7aに側溝蓋Ｃの当接面９を当接させることができる。
【００２５】
その結果、側溝蓋Ｃは係合体６を介して側溝Ｂに係合することができて、同側溝蓋Ｃが位置ずれするのを防止することができると共に、側溝Ｂと側溝蓋Ｃの当接面8,9間に配置した緩衝・防音体７の鍔状片7aにより緩衝効果と防音効果とを同時に生起させることができる。
【００２６】
そして、側溝蓋Ｃを上方へ引き上げて側溝Ｂから取り外す（離隔する）ことにより、側溝蓋Ｃと側溝Ｂとの係合状態を簡単に解除することができて、同側溝蓋Ｃのメンテナンスや取り替え作業等を楽に行うことができる。
【００２７】
また、係合兼緩衝・防音具Ａは、係合体６と緩衝・防音体７とをそれぞれ大量生産して安価に製造することができる。
【００２８】
しかも、係合兼緩衝・防音具Ａは、それ自体が軽量であることから、取り扱いが非常に簡単であり、作業現場において、係合体６の下半部を側溝蓋嵌合凹部3a,3aに形成した係合用凹部１内に係合させるだけで容易に取り付けることができる上に、熟練性や専門性を全く必要としないことから、人件費も少なくて済み、施工コストを安価にすることができると共に、側溝蓋Ｃの係合効果と緩衝効果と防音効果とを同時に得ることができる。
【００２９】
〔第１変容例〕
図７及び図８は、前記した第１実施例としての係合兼緩衝・防音具Ａの第１変容例を示しており、図８(ａ)は係合兼緩衝・防音具Ａの正面図、図８(ｂ)は同係合兼緩衝・防音具Ａの平面図、及び、図８(ｃ)は同係合兼緩衝・防音具Ａの断面正面図である。
【００３０】
そして、第１変容例としての係合兼緩衝・防音具Ａは、基本的構造を第１実施例としての係合兼緩衝・防音具Ａと同じくしているが、係合体６の中央部外周面に嵌合溝10を形成していない点で異なる。
【００３１】
すなわち、第１変容例としての係合兼緩衝・防音具Ａは、係合体６の中央部外周面に緩衝・防音体７を取り付けている。
【００３２】
このようにして、係合体６による係合機能と、緩衝・防音体７による緩衝効果及び防音効果とが得られるようにしている。
【００３３】
〔第２変容例〕
図９及び図１０は、前記した第１実施例としての係合兼緩衝・防音具Ａの第２変容例を示しており、図１０(ａ）は係合兼緩衝・防音具Ａの正面図、図１０(ｂ)は同係合兼緩衝・防音具Ａの平面図、図１０(ｃ)は同係合兼緩衝・防音具Ａの断面正面図、図１０(ｄ)は係合体６の正面図、及び、図１０(ｅ)は緩衝・防音体７の平面図である。
【００３４】
そして、第２変容例としての係合兼緩衝・防音具Ａは、基本的構造を第１実施例としての係合兼緩衝・防音具Ａと同じくしているが、係合体６の中央部外周面に嵌合溝10を形成することなく、かつ、緩衝・防音体７の中央部に嵌合孔11を形成することなく、十字状の切れ目12を形成している点で異なる。
【００３５】
すなわち、第２変容例としての係合兼緩衝・防音具Ａは、係合体６を緩衝・防音体7の中央部に十字状の切れ目12を介して差し込んで、同係合体6の中央部外周面に緩衝・防音体７を取り付けている。7bは内側端片である。
【００３６】
このようにして、係合体６による係合機能と、緩衝・防音体７による緩衝効果及び防音効果とが得られるようにしている。
【００３７】
〔第３変容例〕
図１１及び図１２は、前記した第１実施例としての係合兼緩衝・防音具Ａの第３変容例を示しており、図１２(ａ)は係合兼緩衝・防音具Ａの正面図、図１２(ｂ)は同係合兼緩衝・防音具Ａの平面図、及び、図１２(ｃ)は同係合兼緩衝・防音具Ａの断面正面図である。
【００３８】
そして、第３変容例としての係合兼緩衝・防音具Ａは、基本的構造を第１実施例としての係合兼緩衝・防音具Ａと同じくしているが、係合体６の中央部外周面に嵌合溝10を形成することなく、肉厚状の緩衝・防音体７を取り付けている点で異なる。
【００３９】
すなわち、第３変容例としての係合兼緩衝・防音具Ａは、係合体６の中央部外周面に肉厚状に形成した緩衝・防音体7取り付けている。
【００４０】
そして、側溝Ｂの側溝蓋嵌合凹部3a,3aと側溝蓋Ｃにそれぞれ形成した係合用凹部1,2内に、緩衝・防音体7に当接する当接面8,9を段付凹状に形成している。
【００４１】
このようにして、係合体６と緩衝・防音体７とによる係合機能と、緩衝・防音体７による緩衝効果及び防音効果とが得られるようにしている。
【００４２】
〔第４変容例〕
図１３及び図１４は、前記した第１実施例としての係合兼緩衝・防音具Ａの第４変容例を示しており、図１４(ａ)は係合兼緩衝・防音具Ａの正面図、図１４(ｂ)は同係合兼緩衝・防音具Ａの平面図、及び、図１４(ｃ)は同係合兼緩衝・防音具Ａの断面正面図である。
【００４３】
そして、第４変容例としての係合兼緩衝・防音具Ａは、基本的構造を第１実施例としての係合兼緩衝・防音具Ａと同じくしているが、係合体６に鍔片6bを設けると共に、二つの緩衝・防音体7,7を設けている点で異なる。
【００４４】
すなわち、第４変容例としての係合兼緩衝・防音具Ａは、係合本片6aの中央部に鍔片6bを外方へ張り出し状に一体成形し、同鍔片6bの上面と下面とに当接させて二つの緩衝・防音体7,7を係合本片6aに取り付けている。
【００４５】
このようにして、係合体6の係合本片6aと鍔片6bとにより二つの緩衝・防音体7,7を支持させて、係合体６による係合機能と、緩衝・防音体７による緩衝効果及び防音効果とが得られるようにしている。
【００４６】
〔第５変容例〕
図１５及び図１６は、前記した第１実施例としての係合兼緩衝・防音具Ａの第５変容例を示しており、図１６(ａ)は係合兼緩衝・防音具Ａの正面図、図１６(ｂ）は同係合兼緩衝・防音具Ａの平面図、図１６(ｃ）は同係合兼緩衝・防音具Ａの底面図、及び、図１６(ｄ)は同係合兼緩衝・防音具Ａの断面正面図である。
【００４７】
そして、第５変容例としての係合兼緩衝・防音具Ａは、基本的構造を第１実施例としての係合兼緩衝・防音具Ａと同じくしているが、係合本片6aの形状が異なる。
【００４８】
すなわち、第５変容例としての係合兼緩衝・防音具Ａの係合本片6aは、円錐台状に形成した上半部6cと、同上半部6cの下面中央部に垂設して段付小径状に形成した下半部6dとから形成して、同下半部6dに緩衝・防音体７を取り付けると共に、同緩衝・防音体７を上半部6cの下面に当接させている。
【００４９】
そして、側溝Ｂの係合用凹部1は、係合本片6aの下半部6dを係合可能に形成する一方、側溝蓋Ｃに形成した係合用凹部２は、係合本片6aの上半部6cを係合可能に形成している。
【００５０】
このようにして、係合本片6aの下半部6dを側溝Ｂの係合用凹部1に係合させて、同下半部6dに取り付けた緩衝・防音体７を側溝Ｂの当接面８と上半部6cの下面とにより上下方向から挟圧状態となして、係合体６による係合機能と、緩衝・防音体７による緩衝効果及び防音効果とが得られるようにしている。
【００５１】
〔第６変容例〕
図１７及び図１８は、前記した第１実施例としての係合兼緩衝・防音具Ａの第６変容例を示しており、図１８(ａ)は係合兼緩衝・防音具Ａの正面図、図１８(ｂ)は同係合兼緩衝・防音具Ａの平面図、図１８(ｃ)は同係合兼緩衝・防音具Ａの底面図、及び、図１８(ｄ)は同係合兼緩衝・防音具Ａの断面正面図である。
【００５２】
そして、第６変容例としての係合兼緩衝・防音具Ａは、基本的構造を前記した第５変容例としての係合兼緩衝・防音具Ａと同じくしているが、係合体６の下半部6dの外周面に雄ネジ部6eを形成している点で異なる。
【００５３】
すなわち、第６変容例では、側溝Ｂの係合用凹部1の内周面に雌ネジ部1aを形成して,同雌ネジ部1aに係合体６の下半部6dに形成した雄ネジ部6eを螺着することができるようにしている。
【００５４】
このようにして、係合体6の下半部6dを側溝Bの係合用凹部１に螺着して固定することにより、同係合体6の上半部6cの下面と側溝Bの当接面8とにより緩衝・防音体7を挟圧状態に固定して、係合体６による係合機能と、緩衝・防音体７による緩衝効果及び防音効果とが得られるようにしている。
【００５５】
〔第2実施例〕
図１９及び図２０は、第２実施例としての係合兼緩衝・防音具Ａを示しており、図２０(ａ)は係合兼緩衝・防音具Ａの正面図、図２０(ｂ)は同係合兼緩衝・防音具Ａの平面図、図２０(ｃ)は同係合兼緩衝・防音具Ａの底面図、及び、図２０(ｄ)は同係合兼緩衝・防音具Ａの断面正面図である。
【００５６】
そして、第２実施例としての係合兼緩衝・防音具Ａは、基本的構造を前記した第1実施例としての係合兼緩衝・防音具Ａと同じくしているが、緩衝・防音体7の形状が異なる。
【００５７】
すなわち、緩衝・防音体7は、緩衝・防音本片7cを円形シート状に形成して、係合体6の上半部6cを被覆する状態に載置すると共に、同緩衝・防音本片7cの下端周縁部に鍔状片7aを形成している。
【００５８】
このようにして、側溝蓋Ｃに形成した係合用凹部2内に、係合体6の上半部6cと、同上半部6cを被覆している緩衝・防音本片7cとが係合し、鍔状片7aが側溝Ｂの当接面8と側溝蓋Cの当接面９とに当接して、係合体６による係合機能と、緩衝・防音体７による緩衝効果及び防音効果とが得られるようにしている。
【００５９】
〔変容例〕
図２１及び図２２は、第２実施例の変容例としての係合兼緩衝・防音具Ａを示しており、図２２(ａ)は係合兼緩衝・防音具Ａの正面図、図２２(ｂ)は同係合兼緩衝・防音具Ａの平面図、図２２(ｃ)は同係合兼緩衝・防音具Ａの底面図、及び、図２２(ｄ)は同係合兼緩衝・防音具Ａの断面正面図である。
【００６０】
そして、変容例としての係合兼緩衝・防音具Ａは、基本的構造を前記した第２実施例としての係合兼緩衝・防音具Ａと同じくしているが、緩衝・防音本片7cが係合体６の下半部6dを被覆している点で異なる。
【００６１】
すなわち、緩衝・防音体7は、緩衝・防音本片7cを円形シート状に形成して、係合体6の下半部6dを被覆する状態に載置すると共に、同緩衝・防音本片7cの上端周縁部に鍔状片7aを形成している。
【００６２】
このようにして、側溝Ｂに形成した係合用凹部１内に、係合体6の下半部6dと、同下半部6dを被覆している緩衝・防音本片7cの中央部とが係合し、鍔状片7aが側溝Ｂの当接面8と側溝蓋Cの当接面９とに当接して、係合体６による係合機能と、緩衝・防音体７による緩衝効果及び防音効果とが得られるようにしている。
【００６３】
〔第３実施例〕
図２３及び図２４は、第３実施例としての係合兼緩衝・防音具Ａを示しており、図２４(ａ)は係合兼緩衝・防音具Ａの正面図、図２４(ｂ)は同係合兼緩衝・防音具Ａの平面図、及び、図２４(ｃ)は同係合兼緩衝・防音具Ａの断面正面図である。
【００６４】
そして、第３実施例としての係合兼緩衝・防音具Ａは、基本的構造を前記した第1実施例としての係合兼緩衝・防音具Ａと同じくしているが、緩衝・防音体7が、係合体６の端面に少なくともその一部が露出した当接片7d,7dを有して、同当接片7d,7dが側溝Bと側溝蓋Cの各係合用凹部1,2の内面に押圧状態に当接するようにしている点で異なる。
【００６５】
すなわち、本実施例に係る係合兼緩衝・防音具Ａは、係合体6の中央部に軸線方向に貫通する貫通孔13を形成し、同貫通孔13中に柱状に形成した緩衝・防音体7を挿通して、同緩衝・防音体7の上下端部をそれぞれ露出させて当接片7d,7dとなしている。
【００６６】
このようにして、側溝Bと側溝蓋Cの各係合用凹部1,2内に係合体6を係合させると共に、各係合用凹部1,2の内面に、緩衝・防音体７の当接片7d,7dを押圧状態に当接させて、同当接片7d,7dにより緩衝効果と防音効果とを同時に生起させることができるようにしている。
【００６７】
〔第４実施例〕
図２５及び図２６は、第４実施例としての係合兼緩衝・防音具Ａを示しており、図２６(ａ)は係合兼緩衝・防音具Ａの正面図、図２６(ｂ)は同係合兼緩衝・防音具Ａの平面図、及び、図２６(ｃ)は同係合兼緩衝・防音具Ａの断面正面図である。
【００６８】
そして、第４実施例としての係合兼緩衝・防音具Ａは、基本的構造を前記した第１実施例としての係合兼緩衝・防音具Ａと同じくしているが、緩衝・防音体7を、係合体６の上下端面にそれぞれ当接片7d,7dとして設けて、同当接片7d,7dが側溝Bと側溝蓋Cの各係合用凹部1,2の内面に押圧状態に当接するようにしている点で異なる。
【００６９】
すなわち、本実施例に係る係合兼緩衝・防音具Ａは、係合体6の上端面と下端面とに、それぞれ上端面と下端面と略同形の円板状に形成した当接片7d,7dを張設している。
【００７０】
このようにして、側溝Bと側溝蓋Cの各係合用凹部1,2内に係合体6を係合させると共に、各係合用凹部1,2の内面に、緩衝・防音体７の当接片7d,7dを押圧状態に当接させて、同当接片7d,7dにより緩衝効果と防音効果とを同時に生起させることができるようにしている。
【００７１】
〔第５実施例〕
図２７及び図２８は、第５実施例としての係合兼緩衝・防音具Ａを示しており、図２８(ａ)は係合兼緩衝・防音具Ａの正面図、図２８(ｂ)は同係合兼緩衝・防音具Ａの平面図、及び、図２８(ｃ)は同係合兼緩衝・防音具Ａの断面正面図である。
【００７２】
そして、第５実施例としての係合兼緩衝・防音具Ａは、基本的構造を前記した第１実施例としての係合兼緩衝・防音具Ａと同じくしているが、係合体6と緩衝・防音体7の形状が異なる。
【００７３】
すなわち、係合体6を球状に形成して、同係合体6を上下一対の円形シート状の緩衝・防音本片7c,7cにより上下方向から被覆すると共に、両緩衝・防音本片7c,7cの周縁部を上下重合状態にて鍔状片7a,7aとなしている。
【００７４】
そして、側溝Bと側溝蓋Cの各係合用凹部1,2をそれぞれ半球状に形成して、側溝Bの係合用凹部1内に下側の緩衝・防音本片7cと係合体6の下半部が係合すると共に、側溝蓋Cの係合用凹部2内に上側の緩衝・防音本片7cと係合体6の上半部が係合するようにしている。
【００７５】
しかも、かかる係合状態においては、側溝Bの当接面8に下側の鍔状片7aが押圧状態に当接すると共に、係合用凹部1の内周面に下側の緩衝・防音本片7cが押圧状態に当接する一方、側溝蓋Cの当接面9に上側の鍔状片7aが押圧状態に当接すると共に、係合用凹部2の内周面に上側の緩衝・防音本片7cが押圧状態に当接するようにしている。
【００７６】
このようにして、側溝蓋Ｃは球状に形成した係合体６を介して側溝Ｂに係合することができて、同側溝蓋Ｃが位置ずれするのを防止することができると共に、側溝Ｂと側溝蓋Ｃの当接面8,9間に配置した鍔状片7a,7aと、係合用凹部1,2内に配置した緩衝・防音本片7c,7cとにより緩衝効果と防音効果とを同時に生起させることができる。
【００７７】
なお、本実施例では、緩衝・防音本片7cの全面を係合用凹部1ないしは係合用凹部2の内面に押圧状態に当接させているが、同緩衝・防音本片7cの一部を係合用凹部1ないしは係合用凹部2の内面に押圧状態に当接させることもできる。
【００７８】
また、上記した本発明に係る係合兼緩衝・防音具Ａは、側溝Ｂと側溝蓋Ｃとを係合する場合について説明してきたが、これに限らず緩衝と防音の必要とする係合対象物であれば適用することができる。
【００７９】
【発明の効果】
（１）請求項１記載の本発明に係る係合兼緩衝・防音具は、相互に係合する側溝と側溝蓋との係合面にそれぞれ係合用凹部を形成し、両係合用凹部を上下方向に対向状態に配置すると共に、両係合用凹部間に介設する係合兼緩衝・防音具であって、合成樹脂により上下方向に伸延する棒状に形成すると共に、上下方向に対向状態に配置した係合用凹部内に係合状態に配置して側溝と側溝蓋とを係合する係合体と、弾性素材により中央部に嵌合孔を有する円盤状に形成すると共に、上記係合体の外周面中途部に上記嵌合孔を介して嵌合して外方へ鍔状に張り出した状態にて側溝と側溝蓋の当接面間に配置される緩衝・防音体とを具備している。
【００８０】
このようにして、側溝に側溝蓋を係合する際には、側溝に形成した係合用凹部内に合成樹脂により上下方向に伸延する棒状に形成した係合体の下半部を係合させると共に、弾性素材により中央部に嵌合孔を有する円盤状に形成した緩衝・防音体を、上記係合体の中央部に嵌合孔を介して嵌合した状態にて側溝の当接面に配置しておき、かかる状態にて、側溝蓋に形成した係合用凹部を、側溝に形成した係合用凹部より上方へ突出している係合体の上半部に係合させると共に、上記緩衝・防音体に側溝蓋の当接面を当接させることができる。
【００８１】
その結果、側溝と側溝蓋は係合体を介して係合することができて、側溝と側溝蓋が相互に位置ずれするのを防止することができると共に、側溝と側溝蓋の当接面間に配置した緩衝・防音体により緩衝効果と防音効果とを同時に生起させることができる。
【００８２】
また、側溝蓋を側溝から離隔させることにより、両者の係合状態を簡単に解除することができて、側溝蓋と側溝のメンテナンス等を楽に行うことができる。
【００８３】
（２）請求項２記載の本発明に係る係合兼緩衝・防音具は、相互に係合する側溝と側溝蓋との係合面にそれぞれ係合用凹部を形成し、両係合用凹部を上下方向に対向状態に配置すると共に、両係合用凹部間に介設する係合兼緩衝・防音具であって、合成樹脂により上下方向に伸延する棒状に形成すると共に、上下方向に対向状態に配置した係合用凹部内に係合状態に配置して側溝と側溝蓋とを係合する係合体と、弾性素材により円形シート状に形成して係合体の上半部ないしは下半部を被覆すると共に、係合用凹部内に係合状態に配置される緩衝・防音本片と、弾性素材により上記緩衝・防音本片の周縁部に形成すると共に、外方へ鍔状に張り出した状態にて側溝と側溝蓋の当接面間に配置される鍔状片とを具備している。
【００８４】
このようにして、側溝に側溝蓋を係合する際には、側溝に形成した係合用凹部内に合成樹脂により上下方向に伸延する棒状に形成した係合体の下半部を係合させると共に、弾性素材により円形シート状に形成した緩衝・防音本片により係合体の上半部を被覆すると共に、弾性素材により上記緩衝・防音本片の周縁部に形成した鍔状片を、外方へ鍔状に張り出した状態にて側溝の当接面に配置しておき、かかる状態にて、側溝蓋に形成した係合用凹部を、側溝に形成した係合用凹部より上方へ突出している係合体の上半部に係合させると共に、上記緩衝・防音体に側溝蓋の当接面を当接させることができる。
この際、緩衝・防音本片により係合体の下半部を被覆し、同状態にて、係合体の下半部を側溝に形成した係合用凹部内に係合させると共に、弾性素材により上記緩衝・防音本片の周縁部に形成した鍔状片を、外方へ鍔状に張り出した状態にて側溝の当接面に配置することもできる。
【００８５】
その結果、側溝と側溝蓋は係合体を介して係合することができて、側溝と側溝蓋が相互に位置ずれするのを防止することができると共に、側溝と側溝蓋の当接面間に配置した鍔状片と、側溝ないしは側溝蓋の係合用凹部の内面に押圧状態に当接している緩衝・防音本片とにより、緩衝効果と防音効果とを同時に生起させることができる。
【００８６】
また、側溝蓋を側溝から離隔させることにより、両者の係合状態を簡単に解除することができて、側溝蓋と側溝のメンテナンス等を楽に行うことができる。
【００８７】
（３）請求項３記載の本発明に係る係合兼緩衝・防音具は、相互に係合する側溝と側溝蓋との係合面にそれぞれ係合用凹部を形成し、両係合用凹部を上下方向に対向状態に配置すると共に、両係合用凹部間に介設する係合兼緩衝・防音具であって、合成樹脂により上下方向に伸延する棒状に形成すると共に、上下方向に対向状態に配置した係合用凹部内に係合状態に配置して側溝と側溝蓋とを係合する係合体と、弾性素材により形成すると共に、上記係合体の上・下端面に少なくともその一部が位置して、上下方向に対向状態に配置した係合用凹部の内面に押圧状態に当接する緩衝・防音体とを具備している。
【００８８】
このようにして、側溝に側溝蓋を係合する際には、側溝に形成した係合用凹部内に合成樹脂により上下方向に伸延する棒状に形成した係合体の下半部を係合させると共に、側溝蓋に形成した係合用凹部を、側溝に形成した係合用凹部より上方へ突出している係合体の上半部に係合させる。
【００８９】
その結果、側溝と側溝蓋は係合体を介して係合することができて、側溝と側溝蓋が相互に位置ずれするのを防止することができると共に、弾性素材により形成した緩衝・防音体が、上記係合体の上・下端面に少なくともその一部が位置し、かつ、上下方向に対向状態に配置した係合用凹部の内面に押圧状態に当接して緩衝効果と防音効果とを同時に生起させることができる。
【００９０】
また、側溝蓋を側溝から離隔させることにより、両者の係合状態を簡単に解除することができて、側溝蓋と側溝のメンテナンス等を楽に行うことができる。
【図面の簡単な説明】
【図１】本発明に係る第1実施例としての係合兼緩衝・防音具を装着した側溝と側溝蓋の正面図。
【図２】同側溝と側溝蓋の平面図。
【図３】同係合兼緩衝・防音具の装着状態を示す断面側面図。
【図４】同係合兼緩衝・防音具の正面図。
【図５】同係合兼緩衝・防音具の平面図。
【図６】図４のI-I線断面図（係合兼緩衝・防音具の断面正面図）。
【図７】第1変容例としての係合兼緩衝・防音具の装着状態を示す断面側面図。
【図８】同係合兼緩衝・防音具の説明図。
【図９】第２変容例としての係合兼緩衝・防音具の装着状態を示す断面側面図。
【図１０】同係合兼緩衝・防音具の説明図。
【図１１】第３変容例としての係合兼緩衝・防音具の装着状態を示す断面側面図。
【図１２】同係合兼緩衝・防音具の説明図。
【図１３】第４変容例としての係合兼緩衝・防音具の装着状態を示す断面側面図。
【図１４】同係合兼緩衝・防音具の説明図。
【図１５】第５変容例としての係合兼緩衝・防音具の装着状態を示す断面側面図。
【図１６】同係合兼緩衝・防音具の説明図。
【図１７】第６変容例としての係合兼緩衝・防音具の装着状態を示す断面側面図。
【図１８】同係合兼緩衝・防音具の説明図。
【図１９】第2実施例としての係合兼緩衝・防音具の装着状態を示す断面側面図。
【図２０】同係合兼緩衝・防音具の説明図。
【図２１】変容例としての係合兼緩衝・防音具の装着状態を示す断面側面図。
【図２２】同係合兼緩衝・防音具の説明図。
【図２３】第３実施例としての係合兼緩衝・防音具の装着状態を示す断面側面図。
【図２４】同係合兼緩衝・防音具の説明図。
【図２５】第４実施例としての係合兼緩衝・防音具の装着状態を示す断面側面図。
【図２６】同係合兼緩衝・防音具の説明図。
【図２７】第５実施例としての係合兼緩衝・防音具の装着状態を示す断面側面図。
【図２８】同係合兼緩衝・防音具の説明図。
【符号の説明】
Ａ  係合兼緩衝・防音具
１  係合用凹部
２  係合用凹部
３  側壁
４  底部
５  蓋本体
６  係合体
７  緩衝・防音体
【図１】
0003730633.tif 000002
【図２】
0003730633.tif 000003
【図３】
0003730633.tif 000004
【図４】
0003730633.tif 000005
【図５】
0003730633.tif 000006
【図６】
0003730633.tif 000007
【図７】
0003730633.tif 000008
【図８】
0003730633.tif 000009
【図９】
0003730633.tif 000010
【図１０】
0003730633.tif 000011
【図１１】
0003730633.tif 000012
【図１２】
0003730633.tif 000013
【図１３】
0003730633.tif 000014
【図１４】
0003730633.tif 000015
【図１５】
0003730633.tif 000016
【図１６】
0003730633.tif 000017
【図１７】
0003730633.tif 000018
【図１８】
0003730633.tif 000019
【図１９】
0003730633.tif 000020
【図２０】
0003730633.tif 000021
【図２１】
0003730633.tif 000022
【図２２】
0003730633.tif 000023
【図２３】
0003730633.tif 000024
【図２４】
0003730633.tif 000025
【図２５】
0003730633.tif 000026
【図２６】
0003730633.tif 000027
【図２７】
0003730633.tif 000028
【図２８】
0003730633.tif 000029